(57)【要約】【課題】遊技場において大小２種類のメダルが混じって流通してもこれらを問題なく処理でき、メダルの大きさの違いによる混同，トラブルを解消すると共に、一つの島台にメダル仕様の異なる遊技機を混在して設置できることで遊技機のレイアウトが自由になるようにする。【解決手段】メダルを遊技媒体とする複数台の遊技機１ａ〜１ｎを隣接状に設置することにより一つの島台が形成され、該島台に各遊技機から排出されたメダルＭ１，Ｍ２を回収するメダル回収搬送装置３を設けると共に、該島台の端部に包囲ボックス２を設け、該包囲ボックス内に前記メダル回収搬送装置によって回収されたメダルを洗浄するメダル洗浄装置６と、該メダル洗浄装置によって洗浄されたメダルを大きさ毎に選別し得るメダル選別装置５ａ，５ｂとを設けることにより、使用可能メダル仕様がそれぞれ異なる複数台の遊技機を一つの島台に混在して設置し得るようにした。【選択図】図１
2008148906.tif 000002
【特許請求の範囲】
【請求項１】
メダルを遊技媒体とする複数台の遊技機を隣接状に設置することにより一つの島台が形成され、該島台に各遊技機から排出されたメダルを回収するメダル回収搬送装置を設けると共に、該島台の端部に包囲ボックスを設け、該包囲ボックス内に前記メダル回収搬送装置によって回収されたメダルを洗浄するメダル洗浄装置と、該メダル洗浄装置によって洗浄されたメダルを大きさ毎に選別し得るメダル選別装置とを設けることにより、使用可能メダル仕様がそれぞれ異なる複数台の遊技機を一つの島台に混在して設置し得るようにしたことを特徴とする遊技場のメダル循環システム。
【請求項２】
メダル計数回収器を包囲ボックスの外部に設けると共に、該メダル計数回収器によって回収されたメダルを包囲ボックス内に流入させ、該メダルがメダル回収搬送装置によって回収されたメダルと伴に該包囲ボックス内のメダル洗浄装置によって洗浄されるようにしたことを特徴とする請求項１に記載の遊技場のメダル循環システム。
【請求項３】
包囲ボックス内には上部から順にメダル貯留タンクとメダル選別装置とメダル洗浄装置を設けると共に、メダル洗浄装置によって洗浄したメダルをメダル貯留タンクに揚送するリフタを設けてなることを特徴とした請求項１または２に記載の遊技場のメダル循環システム。
【請求項４】
外部に持ち出し可能な少なくとも２つのメダル収納ジョッキが包囲ボックス内に備えられ、メダル選別装置によって選別されたメダルが該各メダル収納ジョッキに大きさ毎に収納されるようにしたことを特徴とする請求項１〜３のいずれかに記載の遊技場のメダル循環システム。
【請求項５】
メダル洗浄装置は、無端状の搬送ベルトの表面に高さがメダルの厚さよりも低い係合部を形成すると共に、該搬送ベルトを定方向に駆動することにより該係合部間に係合してメダルが搬送されるようにしたコンベヤと、洗浄液が含浸されたウエット拭布を前記搬送ベルトの搬送面に対して適宜間隔を離して平行に張設し前記メダルの表面を拭うようにする拭布支持機構とからなるものである請求項１〜４のいずれかに記載の遊技場のメダル循環システム。
【請求項６】
メダル選別装置は、メダル送出口に固定ローラと可動ローラとを相対するように配設し、該可動ローラを固定ローラとの間隔がメダルの直径よりも広狭可変し得るように弾性手段により付勢し、該固定ローラと可動ローラとの間隔にメダルを強制的に通過させる際に該可動ローラの復元力によって該メダルに弾発力が付与され、該メダルの大きさによって送出されるメダルの飛翔距離に差が生じることで、該メダルを選別するものである請求項１〜５のいずれかに記載の遊技場のメダル循環システム。
【発明の詳細な説明】
【技術分野】
【０００１】
本発明は、メダル（コイン，円形チップと同じ）が遊技媒体として使用されるスロットマシン、コインゲーム機、パチンコ機等の遊技機が多数台設置された遊技場において、メダルを洗浄すると共に循環させる遊技場のメダル循環システムに関するものである。
【背景技術】
【０００２】
遊技場にて遊技媒体として使用されるメダルは、遊技者の手垢や循環通路との摩擦等によって汚れることからその循環通路の途中に従来からメダル洗浄装置が設けられ、メダルが清浄に保たれるようにしている。
下記特許文献１〜４は、従来のメダル洗浄装置（コイン研磨装置に同じ）を例示するもので、特許文献１，２では、メダルを水平にし該メダルを搬送ベルトとガイドにより挟んで回転させながら搬送すると共に該メダルの上下面に研磨布を摺接させるように構成している。また、特許文献３では、メダル押出手段を備えていて、メダルが上下の研磨布間に押し出されるように構成されたものであった。また、特許文献４は、メダルの厚み以下の板材にメダル保持枠部を形成したメダル保持部材を多数連結してメダル搬送装置を構成するとともに、これを両側から挟むように研磨布を配設し、メダル搬送装置により搬送されるメダルの両面が該研磨布により研磨・洗浄されるように構成したものである。
【特許文献１】特開平７−２２０１３４号公報
【特許文献２】特開平７−２２０１３６号公報
【特許文献３】特許第３６６０１１２号公報
【特許文献４】特許第３７６７８１３号公報
【発明の開示】
【発明が解決しようとする課題】
【０００３】
ところで、メダルには一般に直径３０ｍｍのものと直径２５ｍｍのものとがあって、遊技機の種類によってそれぞれ使用し得るメダルが異なるというのが現況である。このため多数台の遊技機を設置した遊技場では、大小２種類のメダルが混じって流通しているのが現状であり、この２種類のメダルをいかに間違いなく扱うかという問題と、いかに省設備、省スペースで両メダルを処理できるかということが問題となっている。
【０００４】
ところが、上記特許文献１〜３に示されたような従来のメダル洗浄装置は、メダルの直径が一定のものにしか対応していないので、大小のメダルが混じって搬入されると対処できず、故障、停止するという問題があった。また、特許文献４に示されたメダル洗浄装置は、メダルの両面を同時に研磨布に接触させて洗浄するものであったので、搬送装置の構成が複雑で装置が大型化するという問題があった。本発明はこれらの問題点を解消しようとするものである。
【課題を解決するための手段】
【０００５】
そこで、請求項１に記載した遊技場のメダル循環システムは、メダルを遊技媒体とする複数台の遊技機を隣接状に設置することにより一つの島台が形成され、該島台に各遊技機から排出されたメダルを回収するメダル回収搬送装置を設けると共に、該島台の端部に包囲ボックスを設け、該包囲ボックス内に前記メダル回収搬送装置によって回収されたメダルを洗浄するメダル洗浄装置と、該メダル洗浄装置によって洗浄されたメダルを大きさ毎に選別し得るメダル選別装置とを設けることにより、使用可能メダル仕様がそれぞれ異なる複数台の遊技機を一つの島台に混在して設置し得るようにしたことを特徴とする。
このため、遊技機をメダル仕様に関わりなく遊技場内で自由にレイアウトできるようになる。
【０００６】
また、請求項２に記載した発明は上記メダル循環システムにおいて、メダル計数回収器を包囲ボックスの外部に設けると共に、該メダル計数回収器によって回収されたメダルを包囲ボックス内に流入させ、該メダルがメダル回収搬送装置によって回収されたメダルと伴に該包囲ボックス内のメダル洗浄装置によって洗浄されるようにしたことを特徴とする。
貸しメダルを店側に返却するとともに獲得したメダルを計数するためのメダル計数回収器についてもメダルの大小に関わりなく遊技者が操作でき混乱するおそれがない。
【０００７】
また、請求項３に記載した発明は上記メダル循環システムにおいて、包囲ボックス内には上部から順にメダル貯留タンクとメダル選別装置とメダル洗浄装置を設けると共に、メダル洗浄装置によって洗浄したメダルをメダル貯留タンクに揚送するリフタを設けてなることを特徴とする。
このため、コンパクトに包囲ボックス内にこれらの機器を配置することができ、包囲ボックスが大型化しないので遊技場のスペースを有効に利用でき省スペース化が実現する。
【０００８】
また、請求項４に記載した発明は上記メダル循環システムにおいて、外部に持ち出し可能な少なくとも２つのメダル収納ジョッキが包囲ボックス内に備えられ、メダル選別装置によって選別されたメダルが該各メダル収納ジョッキに大きさ毎に収納されるようにしたことを特徴とする。
このため、いずれかのメダル収納ジョッキを持ち出すことで遊技機に応じて必要な大きさのメダルを補給することができる。
【０００９】
また、請求項５に記載した発明は上記メダル循環システムにおいて、メダル洗浄装置は、無端状の搬送ベルトの表面に高さがメダルの厚さよりも低い係合部を形成すると共に、該搬送ベルトを定方向に駆動することにより該係合部間に係合してメダルが搬送されるようにしたコンベヤと、洗浄液が含浸されたウエット拭布を前記搬送ベルトの搬送面に対して適宜間隔を離して平行に張設し前記メダルの表面を拭うようにする拭布支持機構とからなることを特徴とする。
このため、１つのメダル洗浄装置で大小２種類のメダルを綺麗に洗浄することができ、省設備、省スペースになる。
【００１０】
また、請求項６に記載した発明は上記メダル循環システムにおいて、メダル選別装置は、メダル送出口に固定ローラと可動ローラとを相対するように配設し、該可動ローラを固定ローラとの間隔がメダルの直径よりも広狭可変し得るように弾性手段により付勢し、該固定ローラと可動ローラとの間隔にメダルを強制的に通過させる際に該可動ローラの復元力によって該メダルに弾発力が付与され、該メダルの大きさによって送出されるメダルの飛翔距離に差が生じることで、該メダルを選別するものであることを特徴とする。
このため、小型の装置にてメダル選別が確実になされ、小さな包囲ボックス内にも設置し得るので、省設備、省スペースになる。
【発明の効果】
【００１１】
遊技場において大小２種類のメダルが混じって流通してもこれらを問題なく処理できるので、メダルの大きさの違いによる混同，トラブルの発生が解消されると共に、一つの島台にメダル仕様の異なる遊技機を混在して設置できるので遊技機のレイアウトが自由にできるようになるなど有益な効果がある。
【発明を実施するための最良の形態】
【００１２】
図１は本発明に係る遊技場における一つの島台の平面図で、１ａ〜１ｎは該島台を構成するスロットマシン等の複数台の遊技機、２は該島台の端部に設けられた包囲ボックス、３は該各遊技機から排出される大小２種類のメダルＭ１，Ｍ２が乗架され該メダルを矢印の方向、即ち、包囲ボックス２に向けて搬送するために設けられたコンベヤ（メダル回収搬送装置）である。また、図２に示したように、該包囲ボックス２の外部に貸しメダルを店側に返却するとともに獲得したメダルを計数するためのメダル計数回収器１６が設けられている。
【００１３】
次に包囲ボックス２内の構成を図３〜図６に従い説明する。包囲ボックス２内には、上部から順にメダル貯留タンク４とメダル選別装置５ａ，５ｂとメダル洗浄装置６が設けられている。７は包囲ボックス２内のこれらの装置の一側に鉛直に設けられたメダル揚送用リフタである。これによってメダル貯留タンク４とメダル選別装置５ａ，５ｂとメダル洗浄装置６を包囲ボックス２内にコンパクトに配置することができ、省スペース化するための最適な構成となるが、本発明では特にその配置順を問うものではない。
また、８はメダル回収コンベヤ３によって回収されたメダルＭ１，Ｍ２をメダル集合箱１０中に搬入するために該包囲ボックス２内に設けられた揚送コンベヤである。９は前記メダル計数回収器１６から排出されたメダルＭ１，Ｍ２を該揚送コンベヤ８上に導いてメダル回収コンベヤ３によって回収されたメダルＭ１，Ｍ２と共にメダル集合箱１０中に搬入するために該包囲ボックス２内に設けられたホッパー、１１はメダル洗浄装置６から排出されたメダルＭ１，Ｍ２をメダル揚送用リフタ７に搬入するために該包囲ボックス２内に設けられたホッパーである。
【００１４】
メダル洗浄装置６は第１洗浄部Ａと第２洗浄部Ｂとからなり、メダル集合箱１０に収容されたメダルＭ１，Ｍ２が該第１洗浄部Ａと該第２洗浄部Ｂを通過することにより該メダルは片面ずつ順に洗浄される。第１洗浄部Ａおよび第２洗浄部Ｂは、鉛直に支持された組付板１２の前面に形成され、２０ａは第１洗浄部Ａのコンベヤ、２０ｂは第２洗浄部Ｂのコンベヤを示す。メダル集合箱１０は上面１０ａが開放され底面１０ｂが傾斜面に形成され、その傾斜下方側面に第１洗浄部Ａのコンベヤ２０ａの下端部が臨んでいる。１３はメダル集合箱１０に設けられたメダル攪拌装置で、モータにより回転する偏心カム１４の作動により突上棒１５が該メダル集合箱１０の底面から出没動し、該メダル集合箱内のメダルＭ１，Ｍ２を攪拌することで該メダルＭ１，Ｍ２を搬送ベルト２１ａの係合部２２ａ間に係合させ易くしている。
【００１５】
図７は第１洗浄部Ａの拡大縦断面図、図８はそのＹ−Ｙ線断面図で、コンベヤ２０ａの無端状の搬送ベルト２１ａは、定幅帯状のゴム布ベルトからなり、図９の斜視図にも示したように、高さがメダルＭ１，Ｍ２の厚さよりも少し低く（高さ１．４ｍｍ）、直径が３ｍｍ程の多数の係合部２２ａが、ベルト表面の幅方向にはメダルＭ１，Ｍ２の直径よりも狭い２２ｍｍの間隔にて横並びに形成され、ベルト表面の長手方向にはメダルＭ１，Ｍ２の直径よりも広い３５ｍｍの間隔にて連続して形成されたものである。２３ａ，２４ａは該搬送ベルト２１ａを巻回している該コンベヤ２０ａの駆動ローラと従動ローラである。該コンベヤ２０ａは、該搬送ベルト２１ａの搬送面がメダル集合箱１０から斜め上向きに起立（起立角度：約７０度）姿勢となるように支持され、該搬送ベルト２１ａを矢印で示した方向に駆動することにより該メダル集合箱中のメダルＭ１，Ｍ２を図９に示したように隣り合う一対の係合部２２ａの間に填ったような状態で係合させて斜め上向きに搬出させる。
【００１６】
また、３０ａは、洗浄液が含浸された無端帯状のウエット拭布３１ａを前記搬送ベルト２１ａの搬送面に対して適宜間隔を離して平行に張設すると共に、該ウエット拭布３１ａを定方向に走行させることにより該ウエット拭布によってメダルＭ１，Ｍ２の表面が拭われるようにする拭布支持機構で、ガイドローラ３２ａとガイドローラ３３ａおよび駆動ゴムローラ３４ａに該ウエット拭布３１ａを巻回すると共に、テンションローラ３５ａを該ウエット拭布３１ａに圧接することにより、該ウエット拭布は前記搬送ベルト２１ａの搬送面に対し平行に張設され、駆動ゴムローラ３４ａが回転動することで該ウエット拭布を矢印で示した方向に走行させる。なお、ウエット拭布３１ａの走行速度は搬送ベルト２１ａの走行速度よりも低速（約１／１０の速度）となるように設定される。このようにウエット拭布３１ａをメダル搬送方向と同方向であって搬送ベルトよりも低速にて走行させることにより、該ウエット拭布３１ａが摩擦によって搬送中のメダルに過剰な負荷を掛け、メダルが搬送ベルトの両脇に飛び出してしまうことのないようにしている。
【００１７】
図６に示したように、３６は洗浄液タンクを示し、該洗浄液タンク３６と上記ガイドローラ３２ａとはチューブおよび電磁弁（図示せず）を介して繋げられており、タイマーの作動により例えば５分おきに該電磁弁が開かれ該洗浄液タンク３６から洗浄液が上記ガイドローラ３２ａに２〜３ｃｃずつ補給されるようにすることで、ウエット拭布３１ａが常に適度な湿潤状態に維持されるようにしている。なお、ウエット拭布３１ａの湿潤状態を検出する湿潤センサーを設け、その検出によって洗浄液タンクから洗浄液が自動的に補給され、該ウエット拭布３１ａが適度な湿潤状態に保たれるようにしてもよい。
【００１８】
また、図７，図８に示したように、４０ａは搬送ベルト２１ａによって搬送されるメダルＭ１，Ｍ２の表面にウエット拭布３１ａを弾性的に押圧するために設けられる拭布押圧機構で、該拭布押圧機構は、表面に適宜間隔で複数条の縦溝４１ａが形成された合成樹脂製の押圧板４２ａをカバー板４３ａの内側に配置し、該押圧板４２ａの背面に固植された支持軸４４ａをカバー板４３ａに貫挿すると共に、該押圧板４２ａとカバー板４３ａとの間にコイルバネ等の弾性体４５ａを圧縮状態にて介在させ、該カバー板４３ａをコンベヤ２０ａのフレームに複数の摘子ネジ４６ａにより着脱自在に組み付けることにより、該弾性体４５ａの弾性により該押圧板４２ａがウエット拭布３１ａを背面から押圧し得るように構成している。なお、摘子ネジ４６ａを緩めることによりカバー板４３ａ，押圧板４２ａがコンベヤフレームから着脱され、ウエット拭布３１ａを必要に応じて交換できるようにしている。
【００１９】
また、第２洗浄部Ｂは、第１洗浄部Ａにおける上下を倒置した関係にてコンベヤ２０ｂと拭布支持機構３０ｂが配置され、該コンベヤ２０ｂの搬送ベルト２１ｂと拭布支持機構３０ｂのウエット拭布３１ｂによって形成される搬送面が斜め下向き（下傾角度：約３０度）姿勢となるようにしている。４７は第１洗浄部Ａのコンベヤ２０ａの上端部から排出されたメダルＭ１，Ｍ２を受けて該メダルを自重で第２洗浄部Ｂの搬送ベルト２１ｂとウエット拭布３１ｂとの間隔に導くために傾斜状に設けられた渡し板である。このため、第１洗浄部Ａのコンベヤ２０ａと第２洗浄部Ｂのコンベヤ２０ｂとは組付板１２の前面に渡し板４７を介して正面「ヘ」字形に連なるように配置される。なお、コンベヤ２０ｂは上記コンベヤ２０ａと同様に定幅帯状のゴムベルトからなる搬送ベルト２１ｂを駆動ローラ２３ｂと従動ローラ２４ｂに巻掛してなるものであるが、該搬送ベルト２１ｂは表面に搬送ベルト２１ａのような係合部は形成されず、図３に示したように、表面に細かな凹凸が形成されたものを用いることで、メダル表面に対し高い摩擦性が得られるようにしている。このため、渡し板４７から滑落したメダルＭ１，Ｍ２は搬送ベルト２１ｂが矢印で示した方向に駆動されることによりウエット拭布３１ｂとの間を斜め下向きに搬送される。このように搬送ベルト２１ｂには搬送ベルト２１ａのような係合部が形成されていないので、第２洗浄部Ｂにおいてメダルが係合部上に乗り上げてしまうおそれがなく、第１洗浄部Ａから送られてきたメダルが滞留するようなトラブルの発生も無く、常にスムースに搬送することができる。
【００２０】
また、拭布支持機構３０ｂは前記拭布支持機構３０ａと同様にウエット拭布３１ｂがガイドローラ３２ｂとガイドローラ３３ｂおよび駆動ゴムローラ３４ｂに巻回され、駆動ゴムローラ３４ｂにより矢印で示した方向に走行される。該搬送ベルト２１ｂの走行速度は搬送ベルト２１ａの走行速度よりも少し高速に設定される。これは搬送ベルト２１ａによって搬送されたメダルが渡し板４７上に溜まらないようにするためである。また、拭布支持機構３０ｂは前記拭布支持機構３０ａと同様にウエット拭布３１ｂがガイドローラ３２ｂとガイドローラ３３ｂおよび駆動ゴムローラ３４ｂに巻回され、駆動ゴムローラ３４ａにより矢印で示した方向に搬送ベルト２１ｂの走行速度よりも低速（約１／１０の速度）で走行される。
【００２１】
なお、上記駆動ローラ２４ａ，２４ｂ、駆動ゴムローラ３４ａ、３４ｂ等は組付板１２の裏側に設けられたギヤボックス４８が設けられ、該ギヤボックスのスプロケット、チェーン、ギヤ、等の伝動機構に連繋され、モータ４９を駆動源とすることにより上記所定の速度で回転駆動される。また、ガイドローラ３２ｂには上記ガイドローラ３２ａと同様に洗浄液タンク３６から洗浄液が補給され、ウエット拭布３１ｂを常に適度な湿潤状態に維持している。また、拭布押圧機構４０ｂは前記拭布押圧機構４０ａと同様に構成され、押圧板４２ｂがウエット拭布３１ｂを押圧しウエット拭布３１ｂを搬送ベルト２１ｂによって下向きに搬送されているメダルＭ１，Ｍ２の表面（下面）にウエット拭布３１ｂを弾性的に押圧する。
【００２２】
このメダル洗浄装置では、搬送ベルト２１ａの係合部２２ａに係合させることにより直径の異なる大小のメダルＭ１，Ｍ２を搬送できると共に、該メダルの表面にウエット拭布３１ａが押圧板４２ａによって適宜押圧力により圧着することにより、該メダルの汚れを確実に拭き取ることができる。また、第１洗浄部Ａを通過した後に該メダルＭ１，Ｍ２は第２洗浄部Ｂに至りて搬送ベルト２１ｂとの摩擦により斜め下向きに搬送され、該メダルの下面にウエット拭布３１ｂを圧着させることにより、該メダルＭ１，Ｍ２を片面ずつ綺麗に洗浄することができる。このため、このメダル洗浄装置によれば直径の異なる大小のメダルＭ１，Ｍ２を連続的に綺麗に洗浄でき、従来のようにメダル大きさ毎に２台の洗浄装置を設ける必要がなく、包囲ボックス２の大きさも小型化が可能となる。
【００２３】
なお、搬送ベルト２１ａの係合部２２ａは、背の低い円柱形突起であるが、本発明では係合部２２ａはこの形状に限られることなく、メダルＭ１，Ｍ２を搬送ベルトの表面に係止可能であれば、例えばコ字枠状の係合部を形成するなど、その他の形態に形成してあってもよい。また、搬送ベルト２１ｂは、上記実施形態にて図示した細かな凹凸（凹状部もしくは凸状部）を縞模様のように形成したが、メダルＭ１，Ｍ２との摩擦係数を高められるようにその他の形態に形成してもよいこと勿論である。
【００２４】
こうしてメダル洗浄装置６によって洗浄されたメダルＭ１，Ｍ２はホッパー１１に排出され、メダル揚送用リフタ７に搬入される。該メダル揚送用リフタ７は角筒状のケーシング内の上下部に設けられたスプロケットに無端チェーンが巻回され、該無端チェーンに定間隔で取着されたバケット上にメダルＭ１，Ｍ２を乗せることで、該メダルが連続的に上部のメダル貯留タンク４に揚送され、該メダル貯留タンク４に洗浄済みのメダルＭ１，Ｍ２が多量に貯留される。
【００２５】
該メダル貯留タンク４の底部には同じ構成の２つのメダル選別装置５ａ，５ｂが並設され、該メダル選別装置５ａ，５ｂは、図１０に示したように、メダルが流入する円形室５０の中心部にモータによって矢印の方向に回転する略曲玉形状のメダル送出羽根５１が設けられ、該円形室５０の一側にあるメダル送出口５２に固定ローラ５３と可動ローラ５４とを相対するように配設し、該可動ローラ５４は固定ローラ５３との間隔がメダルＭ１，Ｍ２の直径よりも広狭可変し得るようにコイルバネ等の弾性手段５５により付勢すると共に、該メダル送出口５２の前方で該メダル送出口からの距離を違えて一対のメダル受口５５ａ，５５ｂが開口するようにホッパー５６ａ，５６ｂを設けている。このため、メダル送出羽根５１の作動により固定ローラ５３と可動ローラ５４との間隔に該メダルＭ１，Ｍ２を強制的に通過させると、該可動ローラ５４の復元力によって該メダルに弾発力が付与され、該メダルの大きさによって送出されるメダルの飛翔距離に差が生じ、大径のメダルＭ１は小径のメダルＭ２よりも遠くまで飛翔することから大径のメダルＭ１はホッパー５６ａのメダル受口５５ａに落ち、小径のメダルＭ２はホッパー５６ｂのメダル受口５５ｂに落ちる。
【００２６】
５７ａ，５７ｂは外部に持ち出し可能なるように包囲ボックス２内に備えられたメダル収納ジョッキで、ホッパー５６ａの先に一方のメダル収納ジョッキ５７ａが配置され、ホッパー５６ｂの先に他方のメダル収納ジョッキ５７ｂが配置される。このためメダル収納ジョッキ５７ａには大径のメダルＭ１が入り、メダル収納ジョッキ５７ｂには小径のメダルＭ２が入る。そして、一定量のメダルがこれらのメダル収納ジョッキに溜まったところでメダル選別装置５ａ，５ｂが停止するよう構成される。
【００２７】
なお、５８ａ，５８ｂは予備のメダル収納ジョッキで、該メダル収納ジョッキは、包囲ボックス２内であってメダル収納ジョッキ５７ａ，５７ｂの上方部に支持されている。また、５９ａ，５９ｂはこれらのメダル収納ジョッキを包囲ボックス２外に持ち出し得るように包囲ボックス２の側壁に開閉可能に設けられた扉板である。このため、図２に示したように遊技場に設置された包囲ボックス２の扉板５９ａまたは扉板５９ｂを従業員が開閉操作し、必要とする大きさのメダルが入ったメダル収納ジョッキを持ち出して遊技機１ａ〜１ｎにそのメダルを手動で補給することにより、遊技客がゲームを続けられるようにする。
【００２８】
なお、この実施形態は、包囲ボックス２内に備えられたメダル収納ジョッキにより、従業員が手動で遊技機にメダルを補給し得るようにした構成を示したが、該包囲ボックス２からこの島台の各遊技機１ａ〜１ｎに連なるようにメダル補給コンベヤ（図示せず）を設け、該包囲ボックス２から大きさ毎に選別されたメダルが各遊技機に自動的に補給されるようにすることもできる。
【図面の簡単な説明】
【００２９】
【図１】本発明に係る遊技場における島台の平面図。
【図２】図１に示した島台の要部拡大斜視図。
【図３】本発明に係る包囲ボックスの内部の斜視図。
【図４】本発明に係る包囲ボックスの内部の正面図。
【図５】本発明に係る包囲ボックスの内部の側面図。
【図６】図４のＸ−Ｘ線断面図。
【図７】本発明に係るメダル洗浄装置の拡大縦断面図。
【図８】図７のＹ−Ｙ線断面図
【図９】本発明に係る搬送ベルトの斜視図。
【図１０】本発明に係るメダル選別装置の要部の断面図。
【符号の説明】
【００３０】
１ａ〜１ｎ        遊技機
２                包囲ボックス
３                メダル回収搬送装置
４                メダル貯留タンク
５ａ，５ｂ        メダル選別装置
６                メダル洗浄装置
７                メダル揚送用リフタ
８                揚送コンベヤ
９                ホッパー
１０              メダル集合箱
１１              ホッパー
１２              組付板
１６              メダル計数回収器
２０ａ，２０ｂ    コンベヤ
２１ａ，２１ｂ    搬送ベルト
２２ａ，２２ｂ    係合部
３０ａ，３０ｂ    拭布支持機構
３１ａ，３１ｂ    ウエット拭布
４０ａ，４０ｂ    拭布押圧機構
４２ａ，４２ｂ    押圧板
４３ａ，４３ｂ    カバー板
４５ａ，４５ｂ    弾性体
５０              円形室
５１              メダル送出羽根
５２              メダル送出口
５３              固定ローラ
５４              可動ローラ
５５              弾性手段
５５ａ，５５ｂ    メダル受口
５６ａ，５６ｂ    ホッパー
５７ａ，５７ｂ    メダル収納ジョッキ
５９ａ，５９ｂ    扉板
Ａ                第１洗浄部
Ｂ                第２洗浄部
Ｍ１，Ｍ２        メダル
【図１】
2008148906.tif 000003
【図２】
2008148906.tif 000004
【図３】
2008148906.tif 000005
【図４】
2008148906.tif 000006
【図５】
2008148906.tif 000007
【図６】
2008148906.tif 000008
【図７】
2008148906.tif 000009
【図８】
2008148906.tif 000010
【図９】
2008148906.tif 000011
【図１０】
2008148906.tif 000012